(57)【特許請求の範囲】
【請求項１】
付加製造された構成部品であって、付加製造された表面仕上げを有する熱伝達増大特徴部を備えており、
前記表面仕上げは、１２５マイクロインチ〜９００マイクロインチの間の表面粗さ平均（Ｒａ）を画定し、
前記表面仕上げは、熱伝達を調整するよう空気流の乱流を制御するように空気流に関して配置される、画定された外形を含むことを特徴とする、付加製造された構成部品。
【請求項２】
前記熱伝達増大特徴部がピンであることを特徴とする請求項１に記載の構成部品。
【請求項３】
前記熱伝達増大特徴部がフィンであることを特徴とする請求項１に記載の構成部品。
【請求項４】
前記表面仕上げがシェブロンを含むことを特徴とする請求項１に記載の構成部品。
【請求項５】
前記表面仕上げがバンプを含むことを特徴とする請求項１に記載の構成部品。
【請求項６】
前記表面仕上げがハローを含むことを特徴とする請求項１に記載の構成部品。
【請求項７】
前記表面仕上げがディンプルを含むことを特徴とする請求項１に記載の構成部品。
【請求項８】
前記熱伝達増大特徴部が通路を含むことを特徴とする請求項１に記載の構成部品。
【請求項９】
付加製造された構成部品の熱伝達増大特徴部であって、付加製造された表面仕上げを備えており、
前記表面仕上げは、１２５マイクロインチ〜９００マイクロインチの間の表面粗さ平均（Ｒａ）を画定し、
前記表面仕上げは、熱伝達を調整するよう空気流の乱流を制御するように空気流に関して配置される、画定された外形を含むことを特徴とする、付加製造された構成部品の熱伝達増大特徴部。
【請求項１０】
画定された外形を有する付加製造された表面仕上げを有する構成部品を付加製造する、
ことを含み、
前記画定された外形は、１２５マイクロインチ〜９００マイクロインチの間の表面粗さ平均（Ｒａ）を画定し、
前記表面仕上げは、熱伝達を調整するよう空気流の乱流を制御するように空気流に関して配置される、画定された外形を含むことを特徴とする、構成部品の製造方法。
【請求項１１】
前記付加製造された構成部品の熱伝達増大特徴部に前記表面仕上げを適用することをさらに含むことを特徴とする請求項１０に記載の方法。
【請求項１２】
前記付加製造された構成部品のフィンに前記表面仕上げを適用することをさらに含むことを特徴とする請求項１０に記載の方法。
【請求項１３】
空気流に関して前記表面仕上げを制御することをさらに含むことを特徴とする請求項１０に記載の方法。
【請求項１４】
前記構成部品の通路内に前記表面仕上げを適用することをさらに含むことを特徴とする請求項１０に記載の方法。
【請求項１５】
前記表面仕上げを約１２５マイクロインチ〜９００マイクロインチ内になるように制御することをさらに含むことを特徴とする請求項１０に記載の方法。
【請求項１６】
前記画定された外形が、表面積を変化させることを特徴とする請求項１に記載の構成部品。
【請求項１７】
前記構成部品が、ガスタービンエンジン燃焼器の支持シェルであることを特徴とする請求項１に記載の構成部品。
【請求項１８】
前記構成部品が、ガスタービンエンジン燃焼器のライナパネルであることを特徴とする請求項１に記載の構成部品。
【発明の詳細な説明】
【技術分野】
【０００１】
本開示はガスタービンエンジンに関し、より詳細にはガスタービンエンジンのための表面仕上げの付加製造制御に関する。
【背景技術】
【０００２】
概して、最新の民間航空機および軍用機に動力を提供するガスタービンエンジン等のガスタービンエンジンは、空気流を圧縮するための圧縮機セクションと、圧縮空気が存在する場合に炭化水素燃料を燃焼させるための燃焼器セクションと、結果として生じる燃焼ガスからエネルギーを抽出するためのタービンセクションとを含む。
【発明の概要】
【発明が解決しようとする課題】
【０００３】
燃焼器は長期間、高い熱負荷にさらされている。歴史的に、燃焼器は燃焼器ライナアッセンブリを冷却するために多様な冷却構成を実施してきた。これらの中には、燃焼ガスに直接的に隣接するライナパネルが裏側での衝突を介して冷却され、ガス側でフィルム冷却されて材料の限界内に温度を維持する二重壁アッセンブリ手法がある。
【０００４】
厳しい熱環境および動作環境を考慮すると、ライナパネルは、インベストメント鋳造または手の込んだシートメタル製作の形で、例えばニッケル、コバルト等の高温合金から構築される。燃焼器内の温度は、多くの場合母材の温度を超えることがあり、したがってライナパネルはフィルム冷却を実現するために冷却孔を収容する。また、燃焼器シェルは、冷却空気噴流をライナパネルの裏面の上に導入するインピンジメント冷却孔を含んでもよい。
【０００５】
冷却効果を依然としてさらに高めるために、ピン、シリンダ、角錐、および／または矩形幾何学形状等の非常に小さい特徴部の形をとる裏面での表面増大も提供されてもよい。これらの特徴部は、熱伝達のための効果的な面積増加を提供する。これらのような特徴部の最適化は、現在、従来の製造方法／ツーリングの信頼性、精度、およびコストによって制限されている。
【課題を解決するための手段】
【０００６】
本開示の１つの開示された非限定的な実施例に係る付加製造された構成部品は、約１２５マイクロインチ〜９００マイクロインチの間の表面仕上げを施した熱伝達増大特徴部を含む。
【０００７】
本開示の追加の実施例は、熱伝達増大特徴部がピンであることを含む。
【０００８】
本開示の上述の実施例のいずれかの追加の実施例は、熱伝達増大特徴部がフィンであることを含む。
【０００９】
本開示の上述の実施例のいずれかの追加の実施例は、表面仕上げが画定された外形を含むことを含む。
【００１０】
本開示の上述の実施例のいずれかの追加の実施例は、表面仕上げがシェブロンを含むことを含む。
【００１１】
本開示の上述の実施例のいずれかの追加の実施例は、表面仕上げがバンプを含むことを含む。
【００１２】
本開示の上述の実施例のいずれかの追加の実施例は、表面仕上げがハローを含むことを含む。
【００１３】
本開示の上述の実施例のいずれかの追加の実施例は、表面仕上げがディンプルを含むことを含む。
【００１４】
本開示の上述の実施例のいずれかの追加の実施例は、熱伝達増大特徴部が通路を含むことを含む。
【００１５】
本開示の上述の実施例のいずれかの追加の実施例は、表面仕上げが空気流に関して配置されることを含む。
【００１６】
本開示の別の開示された非限定的な実施例に係る構成部品は、付加製造された表面仕上げを含み、前述の表面仕上げは画定された外形を含む。
【００１７】
本開示の上述の実施例のいずれかの追加の実施例は、表面仕上げが約１２５マイクロインチ〜９００マイクロインチの間あたりであることを含む。
【００１８】
本開示の上述の実施例のいずれかの追加の実施例は、表面仕上げが付加製造された構成部品の熱伝達増大特徴部上にあることを含む。
【００１９】
本開示の上述の実施例のいずれかの追加の実施例は、表面仕上げが付加製造された構成部品の熱伝達増大特徴部上にあることを含む。
【００２０】
本開示の別の開示された非限定的な実施例に係る構成部品を製造する方法が、画定された外形を有する表面仕上げを施した構成部品を付加製造することを含む。
【００２１】
本開示の上述の実施例のいずれかの追加の実施例は、付加製造された構成部品の熱伝達増大特徴部に表面仕上げを適用することを含む。
【００２２】
本開示の上述の実施例のいずれかの追加の実施例は、付加製造された構成部品のフィンに表面仕上げを適用することを含む。
【００２３】
本開示の上述の実施例のいずれの追加の実施例は、空気流に関して表面仕上げを制御することを含む。
【００２４】
本開示の上述の実施例のいずれの追加の実施例は、通路内で表面仕上げを適用することを含む。
【００２５】
本開示の上述の実施例のいずれかの追加の実施例は、表面仕上げを約１２５マイクロインチ〜９００マイクロインチの範囲内となるように制御することを含む。
【００２６】
上述の特徴部および要素は、別段の明示的な指示がない限り、排他性なく多様な組合せで組み合されてもよい。本発明の作用だけではなく、これらの特徴部および要素は、以下の説明および添付図面に鑑みてより明らかになるだろう。ただし、以下の説明および図面が実際は例示的かつ非限定的であることを意図することが理解されるべきである。
【００２７】
開示されている非限定的な実施例の以下の発明を実施するための形態から、多様な特徴部が当業者に明らかになるだろう。発明を実施するための形態に伴う図面は、以下の通り簡略に説明できる。
【図面の簡単な説明】
【００２８】
【図１】ガスタービンエンジンの概略断面図である。
【図２】図１に示されるガスタービンエンジンとともに使用され得る、１つの非限定的な実施例に係る燃焼器断面の拡大長手方向概略断面図である。
【図３】低温側からのライナパネルアレイの拡大斜視図である。
【図４】燃焼器の壁アッセンブリの分解図である。
【図５】実施例の表面仕上げの拡大斜視図である。
【図６】付加製造された構成部品の実施例の表面仕上げの外形の概略図である。
【図７】付加製造された構成部品の実施例の表面仕上げの外形の概略図である。
【図８】付加製造された構成部品の実施例の表面仕上げの外形の概略図である。
【図９】付加製造された構成部品の実施例の表面仕上げの外形の概略図である。
【図１０】付加製造された構成部品の実施例の表面仕上げの外形の概略図である。
【図１１】付加製造された構成部品の実施例の表面仕上げの外形の概略図である。
【図１２】局所的な付加製造された表面仕上げが施された通路の概略図である。
【図１３】付加製造された表面仕上げが施された熱伝達増大特徴部の概略図である。
【発明を実施するための形態】
【００２９】
図１はガスタービンエンジン２０を概略で示す。ガスタービンエンジン２０は、概してファン部２２と、圧縮機セクション２４と、燃焼器セクション２６と、タービンセクション２８とを組み込んだ２スプールターボファンとして本明細書に開示される。ファン部２２は、バイパス流路およびコア流路に沿って空気を動かす。圧縮機セクション２４は、燃焼器セクション２６への連通、次いでタービンセクション２８を通した膨張のためにコア流路に沿って空気を圧縮する。開示されている非限定的な実施例ではターボファンとして示されているが、教示は、ターボジェット、ターボシャフト、および３スプール（ファン追加）ターボファン等の他のタイプのターボエンジンにも適用され得るので、本明細書に説明される概念がターボファンとの使用に限定されないことが理解されるべきである。
【００３０】
エンジン２０は、概して、エンジン静止構造３６に対するエンジン中心長手方向軸Ａ周りの回転のために取り付けられた低スプール３０および高スプール３２を含む。低スプール３０は、概して、ファン４２、低圧圧縮機（ｌｏｗ  ｐｒｅｓｓｕｒｅ  ｃｏｍｐｒｅｓｓｏｒ）（「ＬＰＣ」）４４、および低圧タービン（ｌｏｗ  ｐｒｅｓｓｕｒｅ  ｔｕｒｂｉｎｅ）（「ＬＰＴ」）４６を相互接続する内側シャフト４０を含む。内側シャフト４０は、直接的にまたは低スプール３０よりも低速度でファン４２を駆動するためにギヤ付きのアーキテクチャ４８を通してファン４２を駆動する。例示的な減速トランスミッションは、周転円トランスミッション、つまり遊星ギヤシステムまたはスターギヤシステムである。
【００３１】
高スプール３２は、高圧圧縮機（ｈｉｇｈ  ｐｒｅｓｓｕｒｅ  ｃｏｍｐｒｅｓｓｏｒ）（「ＨＰＣ」）５２および高圧タービン（ｈｉｇｈ  ｐｒｅｓｓｕｒｅ  ｔｕｒｂｉｎｅ）（「ＨＰＴ」）５４を相互接続する外側シャフト５０を含む。燃焼器５６は、ＨＰＣ５２とＨＰＴ５４との間に配置される。内側シャフト４０および外側シャフト５０は同心であり、エンジン中心長手方向軸Ａ周りに回転する。
【００３２】
コア空気流はＬＰＣ４４、次にＨＰＣ５２によって圧縮され、燃焼器５６内で燃料と混合され、燃焼され、次いでＨＰＴ５４およびＬＰＴ４６を通して膨張する。ＬＰＴ４６およびＨＰＴ５４は、膨張に応えてそれぞれ低スプール３０および高スプール３２を回転駆動する。
【００３３】
図２を参照すると、燃焼器５６は、概して外側燃焼器壁アッセンブリ６０、内側燃焼器壁アッセンブリ６２、およびディフューザケースモジュール６４を含む。外側燃焼器壁アッセンブリ６０および内側燃焼器壁アッセンブリ６２は、燃焼室６６が外側燃焼器壁アッセンブリ６０と内側燃焼器壁アッセンブリ６２との間に画定されるように離間されている。燃焼室６６の形状は略環状である。
【００３４】
外側燃焼器壁アッセンブリ６０は、ディフューザケースモジュール６４の外側ディフューザケース５４Ａから径方向内向きに離間されて、外側環状プレナム７６を画定する。内側燃焼器壁アッセンブリ６２は、ディフューザケースモジュール６４の内側ディフューザケースＧ４Ｂから径方向外向きに離間されて、内側環状プレナム７８を画定する。特定の燃焼器が示されているが、多様な燃焼器ライナ構成付きの他の燃焼器タイプも本文書の恩恵を受けることが理解されるべきである。
【００３５】
燃焼器ライナアッセンブリ６０、６２は、タービンセクション２８に向かう方向のための燃焼生成物を含む。各燃焼器センブリ６０、６２は、概して、それぞれの支持シェル６８、７０の高温側に取り付けられた１枚または複数のライナパネル７２、７４を支持するそれぞれの支持シェル６８、７０を含む。ライナパネル７２、７４のそれぞれは略直線からなり、例えば、ニッケル基超合金、セラミックまたは他の耐熱性材料等から製造されてもよく、ライナアレイを形成するために配置される。１つの開示された非限定的な実施例では、ライナアレイは、（図３にも示される）外側シェル６８の高温側の内側を覆うために周方向に互い違いになる複数の前方ライナパネル７２Ａおよび複数の後方ライナパネル７２Ｂを含む。複数の前方ライナパネル７４Ａおよび複数の後方ライナパネル７４Ｂは、内側シェル７０の高温側の内側を覆うために周方向に互い違いになる。
【００３６】
燃焼器５６は、圧縮機セクション２４のすぐ下流に前方アッセンブリ８０をさらに含み、圧縮機セクション２４から圧縮された空気流を受け取る。前方アッセンブリ８０は、概して環状フード８２、バルクヘッドアッセンブリ８４、複数の燃料ノズル８６（１つが図示）および複数の燃料ノズルガイド９０（１つが図示）を含む。燃料ノズルガイド９０のそれぞれは、バルクヘッドアッセンブリ８４を通って突出するようにフードポート９４の内の１つと周方向に位置合わせされる。各バルクヘッドアッセンブリ８４は、燃焼器ライナアッセンブリ６０、６２に固定されたバルクヘッド支持シェル９６、および中央開口部９２周りのバルクヘッド支持シェル９６に固定され、周方向に分散された複数のバルクヘッドライナパネル９８を含む。
【００３７】
環状フード８２は、燃焼器ライナアッセンブリ６０、６２の間で径方向に延在し、燃焼器ライナアッセンブリ６０、６２の最も前方の端部に固定される。環状フード８２は、それぞれ燃料ノズル８６を収容し、中央開口部９２を通して燃焼室６６の前方端部の中に空気を導入する周方向に分散された複数のフードポート９４を含む。各燃料ノズル８６は、ディフューザケースモジュール６４に固定されてもよく、フードポート９４の内の１つを通って、かつそれぞれの燃料ノズルガイド９０の中で中央開口部９２を通って突出する。
【００３８】
前方アッセンブリ８０は、燃焼室６６の前方セクションの中にコア燃焼空気を導入する。一方、残りは外側環状プレナム７６および内側環状プレナム７８に進入する。複数の燃料ノズル８６および隣接する構造が、燃焼室６６内で安定した燃焼をサポートする混合された燃料−空気混合物を生成する。
【００３９】
前方アッセンブリ８０の反対側で、外側支持シェルおよび内側支持シェル６８、７０が、ＨＰＴ５４内のノズルガイドベーン（Ｎｏｚｚｌｅ  Ｇｕｉｄｅ  Ｖａｎｅ）（ＮＧＶ）５４Ａの第１の列に取り付けられる。ＮＧＶ５４Ａは、タービンセクション２８内の第１のタービンロータのタービンブレードの上にコア空気流燃焼ガスを導いて、圧力エネルギーの運動エネルギーへの変換を容易にする静止エンジン構成部品である。また、コア空気流燃焼ガスは、ＮＧＶ５４Ａの収束形状のためにＮＧＶ５４Ａによって加速され、通常、ＨＰＴロータ回転の方向で「旋回」または「渦巻き」を与えられる。
【００４０】
図４を参照すると、複数のスタッド１００が、ライナパネル７２、７４をそのそれぞれの支持シェル６８、７０に、ナット等の固締具１０２で取り付けることを可能にするようにライナパネル７２、７４から伸長する。すなわち、スタッド１００はライナパネル７２、７４から、かつ支持シェル６８、７０それぞれを通ってしっかりと突出して、固締具１０２をそのネジ切られた末端部セクションで受け入れる。
【００４１】
複数の冷却インピンジメント孔１０４は、支持シェル６８、７０を貫通して、それぞれの環状プレナム７６、７８からの空気が、支持シェル６８、７０それぞれとライナパネル７２、７４との間の燃焼器ライナアッセンブリ６０、６２に形成された空洞１０６Ａ、１０６Ｂに進入できるようにする。冷却インピンジメント孔１０４は、ライナパネル７２、７４の表面に略垂直である。空洞１０６Ａ、１０６Ｂ内の空気は、本明細書では内部対流を介した熱除去として概して定められるライナパネル７２、７４の裏側インピンジメント冷却を提供する。
【００４２】
多様な冷却膜孔１０８は、ライナパネル７２、７４のそれぞれを貫通する。例えば、高温の主流に対する孔の場所だけではなく、直径、形状、密度、表面角度、入射角等の膜孔の幾何学形状も流出フィルム冷却の一因となる。インピンジメント孔１０４と膜孔１０８の組合せは、インピンジメント膜浮遊壁（Ｉｍｐｉｎｇｅｍｅｎｔ  Ｆｉｌｍ  Ｆｌｏａｔｗａｌｌ）アッセンブリと呼ばれることがある。
【００４３】
冷却膜孔１０８は、空気が、ライナパネル７２、７４の低温側１１０によって部分的に画定される空洞１０６Ａ、１０６Ｂからライナパネル７２、７４の高温側１１２に通過し、それによって高温側１１２に沿った冷却空気の膜の形成を容易にできるようにする。冷却膜孔１０８は、高温側１１２に沿ったフィルム冷却の発生を促進して、ライナパネル７２、７４を覆うために、概して、インピンジメント孔１０４よりも多数である。本明細書に定められるフィルム冷却は、高温環境に曝される表面に沿った１つまたは複数の異なる場所で相対的により冷たい空気流を導入して、空気流噴射の下流だけではなく、空気流噴射の直近の領域内でもその表面を保護することである。
【００４４】
複数の希釈孔１１６は、共通の軸に沿ってそれぞれの支持シェル６８、７０とライナパネル７２、７４の両方を通って貫通して、高温ガスを急冷する、またはそれ以外の場合、燃焼室６６の中への冷却空気の直接的な供給によって高温ガスを達成する。
【００４５】
複数の熱伝達増大特徴部１１８は、各ライナパネル７２、７４の低温側１１０から延在する。熱伝達増大特徴部１１８の多様な形状、高さ、幅、および長さは活用されてもよい。さらに、熱伝達増大特徴部１１８の多様な分散および組合せは、周方向またはスパン方向のどちらかまたは両方で活用されてもよい。
【００４６】
開示されたこの非限定的な実施例の支持壁６８、７０、およびライナパネル７２、７４は、製造中に冷却インピンジメント孔１０４、冷却膜孔１０８、および／または希釈孔１１６だけではなく相対的に小さい熱伝達増大特徴部１１８の組込みを有益に可能にする付加製造プロセスを介して製造される。
【００４７】
付加製造プロセスは、直接選択的レーザ焼結（Ｄｉｒｅｃｔ  Ｓｅｌｅｃｔｉｖｅ  Ｌａｓｅｒ  Ｓｉｎｔｅｒｉｎｇ）（ＤＳＬＳ）、電子ビーム焼結（Ｅｌｅｃｔｒｏｎ  Ｂｅａｍ  Ｓｉｎｔｅｒｉｎｇ）（ＥＢＳ）、電子ビーム融解（Ｅｌｅｃｔｒｏｎ  Ｂｅａｍ  Ｍｅｌｔｉｎｇ）（ＥＢＭ）、レーザ工学ネットシェイブ加工（Ｌａｓｅｒ  Ｅｎｇｉｎｅｅｒｅｄ  Ｎｅｔ  Ｓｈａｐｉｎｇ）（ＬＥＮＳ）、レーザネットシェイプ製造（Ｌａｓｅｒ  Ｎｅｔ  Ｓｈａｐｅ  Ｍａｎｕｆａｃｔｕｒｉｎｇ）（ＬＮＳＭ）、直接金属堆積（Ｄｉｒｅｃｔ  Ｍｅｔａｌ  Ｄｅｐｏｓｉｔｉｏｎ）（ＤＭＤ）、およびレーザ粉体層融解（Ｌａｓｅｒ  Ｐｏｗｄｅｒ  Ｂｅｄ  Ｆｕｓｉｏｎ）（ＬＰＢＦ）を含むが、これに限定されるものではない。付加製造プロセスは、６２５合金、７１８合金、２３０合金、ステンレス鋼、工具鋼、コバルトクロム、チタン、ニッケル、アルミニウム、Ｗａｓｐａｌｏｙ、Ｓｔｅｌｌｉｔｅ、チタン、鋼、ステンレス鋼、コバルトクロム、ＨａｓｔａｌｌｏｙＸ、および他を含むが、これに限定されるものではない噴霧合金および／またはセラミック粉末材料の層を連続的に構築する。６２５、７１８、および２３０等の合金は、例えば、航空宇宙構成部品およびガスタービンエンジン構成部品が通常遭遇する環境等の高温環境で動作する部品のための特定の利点を有することがある。
【００４８】
熱伝達増大特徴部１１８は、ピン、シリンダ、角錐、矩形および／または他の幾何学形状であろうと、孔１０４、１０８、１１６であろうと、それによって、層状の金属製作アーキテクチャ内に埋め込まれ、または層状の金属製作アーキテクチャに固有である。１つの開示された非限定的な実施例での熱伝達増大特徴部１１８は、厚さまたは直径が約０．０１”〜１．０”（０．２５４ｍｍ〜２５．４ｍｍ）の間である。概して本明細書に一般的に熱伝達増大特徴部１１８として定義されるものの多様な幾何学形状も本文書の恩恵を受けることが理解されるべきである。
【００４９】
言い換えると、上述の技法は、必要な熱伝達増大特徴部１１８を提供するように、特定の領域でかつターゲットの寸法で粉末金属を溶解、焼結、または溶接するための「印刷分解能」を有する。これらの技法は、熱伝達増大特徴部１１８としての利点を有する明確に定義された形状を生じさせるために適切である約２０ミクロン〜５０ミクロンの層分解能を有する。直接金属レーザ焼結法（Ｄｉｒｅｃｔ  Ｍｅｔａｌ  Ｌａｓｅｒ  Ｓｉｎｔｅｒｉｎｇ）（ＤＭＬＳ）は、自由形状製作粉体層製造プロセスである。ハードウェアは、ＣＡＤファイルを２０μｍ（０．８ミル）以上の層にスライスすることによって開始するプロセスで層ごとに構築される。この改変されたＣＡＤファイルは、新しいＣＡＤファイルによって画定されるように、一度に１つの層ずつハードウェアを構築するＤＭＬＳ機械の中に装填される。電子ビーム融解（ｅｌｅｃｔｒｏｎ  ｂｅａｍ  ｍｅｌｔｉｎｇ）（ＥＢＭ）は、粉体層付加製造プロセスである。ただし、ＥＢＭは、真空中で層ごとに堆積された粉末金属を融解して三次元部品を構築するために、電子ビームを使用する。ＣＡＤファイルは、ＳＴＬファイルとして蓄積される５０μｍまたは７０μｍ（２．０ミルまたは２．８ミル）の厚さの層にスライスされ、次いでＥＢＭ機械の中に装填される。電子ビームは、タングステンフィラメントに電流を流し、次いでそれを横切る電位を生じさせて電子をはぎ取ることによって生成される。電子は磁場によって構築プレートに誘導され、収束される。可動部がないことで、最高８０００ｍ／ｓの非常に高速の走査速度が可能になる。
【００５０】
支持シェル６８、７０、およびライナパネル７２、７４等の構成部品を製造するために付加製造プロセスを活用すると、表面仕上げ１４０（図５）の特定の制御も提供される。表面仕上げ１４０は、表面テクスチャのより細かな表面むらの基準であり、３つの構成要素、つまり粗さ、うねり、および形状から成るテクスチャの表面粗さを定義する。これらは、表面を作成するために利用される製造プロセス、ここでは付加製造プロセスの結果である。算術平均（ａｒｉｔｈｍｅｔｉｃ  ａｖｅｒａｇｅ）（ＡＡ）としても知られる表面粗さ平均（ｒｏｕｇｈｎｅｓｓ  ａｖｅｒａｇｅ）（Ｒａ）は、マイクロインチまたはマイクロメートルで表される表面の谷および山頂の算術平均偏差として評価される。ＩＳＯ規格は用語ＣＬＡ（Ｃｅｎｔｅｒ  Ｌｉｎｅ  Ａｖｅｒａｇｅ）（中心線平均）を使用する。容易に理解されるように、１マイクロインチ＝０．０００００１インチ（１インチの１００万分の１）である。
【００５１】
１つの開示された非限定的な実施例では、所望される表面仕上げ１４０は、付加製造プロセスを介して制御されてもよい。すなわち、例えば、熱伝達増大特徴部１１８は、特定の表面仕上げ１４０で付加製造されてもよい。表面仕上げ１４０の制御を通じて、表面積は選択的に制御され、それによって空気流の乱流を制御して、局所化されたまたは一般化された方法で熱伝達を調整する。
【００５２】
付加製造を実行する一方、表面仕上げ１４０は、１つの開示された非限定的な実施例で、約１２５マイクロインチ〜９００マイクロインチの範囲内となるように制御される。さらに、所望された表面仕上げ１４０は、空気流（図）に関して画定されるフィン（図６）、ピン（図７）、フック（図８）、シェブロン（図９）、バンプ（図１０）、ディンプル（図１１）等の画定された外形１４２であってもよい。
【００５３】
図１２に関して、１つの開示された非限定的な実施例では、表面仕上げ１４０は通路１４４内で適用される。表面仕上げ１４０は、曲げ１４６を通る流れを容易にするために曲げ１４６に隣接する等、局所化されてもよい。
【００５４】
図１３に関して、別の開示された非限定的な実施例では、表面仕上げ１４０がフィン１５０に適用される。付加製造を介して製造されるフィン１５０は、約０．０２インチ（２千、０．５ｍｍ）厚さであってもよい。１つのフィン１５０が示されているが、多数の係るフィンは熱交換器または他の係る装置の典型として付加製造されてもよいことが理解されるべきである。
【００５５】
付加製造された表面仕上げ制御は、例えば最適化された熱伝達等、製造コストを削減し、動作を削減し、部品寿命を延ばし、局所的な流れを制御し、局所的な乱流および／または他の構造上の利点を制御するために動作可能である。特定の構成部品に関して本明細書で説明されているが、表面仕上げの付加製造制御は、任意の産業、すなわち航空宇宙、ＨＶＡＣ、自動車および産業、発電、モータ、ミサイル／ロケット、防衛、電子熱管理等に、容易に適用可能であることが理解されるべきである。
【００５６】
説明との関連での（特に以下の特許請求の範囲との関連での）用語「ある」、「一つの」、「前記」および類似する参照の使用は、本明細書に別段の指示がない限り、または文脈によって明確に否定されない限り、単数形および複数形の両方をカバーすると解釈されるべきである。量との関連で使用される修飾語句「約」は、記載された値を含み、文脈によって決定される意味を有する（例えば、それは、特定の量の測定に関連する誤差の程度を含む）。本明細書に開示されるすべての範囲は終端点を含み、終端点は独立して互いと結合可能である。
【００５７】
異なる非限定的な実施例が特定の示されている構成部品を有するが、本発明の実施例はそれらの特定の組合せに限定されない。非限定的な実施例のいずれかからの構成要素または特徴部のいくつかを、他の非限定的な実施例のいずれかからの特徴部または構成要素と組み合わせて、使用することが可能である。
【００５８】
類似する参照符号は、いくつかの図面を通して対応または類似する要素を識別することが理解されるべきである。また、特定の構成要素配置が示されている実施例で開示されているが、他の配置が本明細書の恩恵を受けることも理解されるべきである。
【００５９】
特定のステップ順序が示され、説明され、請求されているが、別段の指示がない限りステップが、任意の順序で実行されても、分離されても、または組み合されてもよく、依然として本開示の恩恵を受けることが理解されるべきである。
【００６０】
上述の説明は、中の限定によって定義されるよりむしろ例示的である。多様な非限定的な実施例が本明細書に開示されているが、当業者は、多様な修正形態および変形形態が、上記教示を鑑みて添付の特許請求の範囲内に入ることを認識するだろう。したがって、添付の特許請求の範囲内では、開示は特に説明される以外に実施されてもよいことが理解されるべきである。そのため、添付の特許請求の範囲は、真の範囲および内容を決定するために検討されるべきである。
【符号の説明】
【００６１】
６８、７０…支持壁
７２、７４…ライナパネル
１０４…冷却インピンジメント孔
１０８…冷却膜孔
１１０…低温側
１１８…熱伝達増大特徴部
【図１】
0006470135.tif 000002
【図２】
0006470135.tif 000003
【図３】
0006470135.tif 000004
【図４】
0006470135.tif 000005
【図５】
0006470135.tif 000006
【図６】
0006470135.tif 000007
【図７】
0006470135.tif 000008
【図８】
0006470135.tif 000009
【図９】
0006470135.tif 000010
【図１０】
0006470135.tif 000011
【図１１】
0006470135.tif 000012
【図１２】
0006470135.tif 000013
【図１３】
0006470135.tif 000014